(57)【要約】【課題】一時的な受信感度低下による放送局のスキャン漏れを補完することが可能なデジタル放送受信装置を提供する。【解決手段】受信漏れ推定部１１３は、放送局リスト保持部１０８が保持する受信可能放送局のリスト情報から受信地域を特定し、この特定された受信地域に対応する地域の地域放送局のリスト情報を地域放送局リスト保持部１１０から取得し、この取得した地域放送局のリスト情報と放送局リスト保持部１０８が保持する受信可能放送局のリスト情報とを比較し、一致しない放送局を受信漏れした放送局と推定する。【選択図】図１
2011023933.tif 000002
【特許請求の範囲】
【請求項１】
所定のデジタル放送局を選局する選局手段と、
前記選局手段から出力される信号に復調処理を施す復調手段と、
前記復調手段で復調された信号から特定の放送局情報を抽出する放送局情報取得手段と、
前記放送局情報取得手段により取得した放送局情報から現在の受信可能放送局のリスト情報を構築保持する放送局リスト保持部と、
地域ごとに設定した地域放送局のリスト情報を格納する地域放送局リスト保持部と、
この地域放送局リスト保持部が格納する地域放送局のリスト情報と前記放送局リスト保持部が保持する受信可能放送局のリスト情報とに基づいて受信漏れした放送局を推定する受信漏れ推定部とを備え、
この受信漏れ推定部は、前記放送局リスト保持部が保持する受信可能放送局のリスト情報から受信地域を特定し、この特定された受信地域に対応する地域の地域放送局のリスト情報を前記地域放送局リスト保持部から取得し、この取得した地域放送局のリスト情報と前記放送局リスト保持部が保持する受信可能放送局のリスト情報とを比較し、一致しない放送局を受信漏れした放送局と推定することを特徴とするデジタル放送受信装置。
【請求項２】
前記選局手段は、前記受信漏れ推定部が推定した放送局のみを再選局することを特徴とする請求項１に記載のデジタル放送受信装置。
【発明の詳細な説明】
【技術分野】
【０００１】
本発明は、地上デジタル放送を好適に受信するデジタル放送受信装置に関する。
【背景技術】
【０００２】
地上デジタル放送は、現行の地上アナログ放送の基盤を前提としているため、放送局のダイレクト選局のためのキーの数を１２個とする１２ポジションの概念や、日本全国を複数の地域に分割して各地域毎に放送局を設置する地域単位の概念が、地上デジタル放送の運用規程に盛り込まれている。
【０００３】
このため、例えば越境地域等では、地域内の放送局からの放送だけでなく、他地域の放送局からの放送も受信される場合や、地域内の放送局の放送が受信されずに、他地域の放送局の放送だけが受信される場合等、実際に受信してみなければ、どの放送局が受信できるのかわからない地域も存在する。
【０００４】
そこで、地上デジタル放送対応の放送受信機では、ＵＨＦ（Ｕｌｔｒａ  Ｈｉｇｈ  Ｆｒｅｑｕｅｎｃｙ）帯物理チャンネルを順番にスキャンして、受信可能な地上デジタル放送の放送局を検出していく、いわゆる、放送局スキャンを行うようにしている。
【０００５】
このようなチャンネルスキャンにおいて、選局したチャンネルで地上デジタル放送が行なわれているか否かは、地上デジタル放送にて送信されている、例えばＮＩＴ（Ｎｅｔｗｏｒｋ  Ｉｎｆｏｒｍａｔｉｏｎ  Ｔａｂｌｅ）等のようなセクションデータが得られるか否かによって判断するようにしている。
【０００６】
このセクションデータが得られるか否かの判別は、１つの物理チャンネルで一定時間の受信状態を保ち、その一定時間内にセクションデータが得られれば放送が存在し、得られなければ放送が行なわれていないと判定する、タイムアウト処理にて実現されている。
【０００７】
地上デジタル放送の放送局スキャン処理では、通常はＵＨＦ帯の全５０チャンネルを一つ一つ選局して、放送局の有無を確認しているため、処理時間が長くなってしまう問題がある。
【０００８】
ここで、特許文献１には、ＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ）信号によってデジタル放送があると仮判定された物理チャンネルについてのみ、ＮＩＴが得られるか否かを判別するようにすることによって、放送局リスト情報の登録作業時間の短縮化を図るようにした構成が開示されている。
【０００９】
また、特許文献２には、地域識別コードから現在の受信地域を特定し、受信地域に対応する受信可能チャンネル情報を地域別チャンネルデータベースから取得し、放送局リストを更新することで登録作業時間の短縮化を図るようにした構成が開示されている。
【先行技術文献】
【特許文献】
【００１０】
【特許文献１】特開２００４−３６３８０６号公報
【特許文献２】特開２００６−１３７６５号公報
【発明の概要】
【発明が解決しようとする課題】
【００１１】
上述のように、放送局リスト情報の登録作業時間の短縮化を行っていたが、いずれも放送局スキャン処理において、一時的な放送受信感度の弱まりにより、放送局の受信漏れが発生するという問題に対処することはなかった。
【００１２】
そこで、本発明は、一時的な受信感度低下による放送局のスキャン漏れを補完することが可能なデジタル放送受信装置を提供することを目的とする。
【課題を解決するための手段】
【００１３】
本発明のデジタル放送受信装置は、受信漏れ推定部が、放送局リスト保持部が保持する受信可能放送局のリスト情報から受信地域を特定し、この特定された受信地域に対応する地域の地域放送局のリスト情報を地域放送局リスト保持部から取得し、この取得した地域放送局のリスト情報と放送局リスト保持部が保持する受信可能放送局のリスト情報とを比較し、一致しない放送局を受信漏れした放送局と推定することを特徴とする。
【発明の効果】
【００１４】
本発明によれば、一時的な受信感度低下による放送局のスキャン漏れを補完したデジタル放送受信装置を提供することができる。
【図面の簡単な説明】
【００１５】
【図１】本発明の一実施の形態のデジタル放送受信装置のブロック図
【図２】本発明の一実施の形態のデジタル放送受信装置による選局処理のフローチャート図
【図３】図２のステップＳ２０７の受信漏れ確認処理のフローチャート図
【発明を実施するための形態】
【００１６】
以下、本発明の一実施の形態におけるデジタル放送受信装置について、図面を用いて説明する。
【００１７】
図１は、発明の一実施の形態におけるデジタル放送受信装置のブロック図である。
【００１８】
図１に示すように、デジタル放送受信装置は、受信アンテナ１０１と、チューナ部１０２と、復調部１０３と、多重分離部１０４と、復号部１０５と、出力部１０６と、放送局情報取得部１０７と、放送局リスト保持部１０８と、地域放送局情報取得部１０９と、地域放送局リスト保持部１１０と、制御部１１１と、データ入力部１１２と、受信漏れ推定部１１３とを備える。
【００１９】
受信アンテナ１０１は、親局または中継局から地上デジタル放送の放送信号を受信する。受信アンテナ１０１は、チューナ部１０２と接続し、チューナ部１０２に受信した情報を出力する。ここで、受信アンテナ１０１が受信する放送信号は、ＯＦＤＭ(Ｏｒｔｈｏｇｏｎａｌ  Ｆｒｅｑｕｅｎｃｙ  Ｄｉｖｉｓｉｏ  Ｍｕｌｔｉｐｌｅｘｉｎｇ)方式で伝送されたものである。
【００２０】
チューナ部１０２は、受信アンテナ１０１から放送信号を取得し、放送局ごとに割り当てられた所定の周波数に同調して指定された物理チャンネルの信号を選局する。チューナ部１０２は、復調部１０３と接続し、復調部１０３に選局した信号を出力する。
【００２１】
復調部１０３は、チューナ部１０２から取得した情報をＴＳ（Ｔｒａｎｓｐｏｒｔ  Ｓｔｒｅａｍ）パケットに復調する。復調部１０３は、多重分離部１０４、制御部１１２と接続する。復調部１０３は、多重分離部１０４に復調したＴＳパケット情報を出力する。
復調部１０３は、制御部１１２に同期検波情報を出力する。
【００２２】
多重分離部１０４は、復調部１０３からＴＳパケット情報を取得し、各ＴＳパケットに付加されているパケットＩＤ（ＰＩＤ）を識別する。そして、多重分離部１０４は、ＴＳパケットから、選局情報であるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）や映像、音声等のＥＳ（Ｅｌｅｍｅｎｔａｒｙ  Ｓｔｒｅａｍ）を抽出する。ＰＳＩ／ＳＩなどのセクションデータにはＮＩＴ（Ｎｅｔｗｏｒｋ  Ｉｎｆｏｒｍａｔｉｏｎ  Ｔａｂｌｅ）が含まれる。ＮＩＴにはＴＳＩＤ（Ｔｒａｎｓｐｏｒｔ  Ｓｔｒｅａｍ  ＩＤ）やＴＳ名（放送局名）、サービス識別、リモコンキーＩＤと呼ばれる識別子が記載されている。（表１）は、サービス識別コードの構成を示す表である。
【００２３】
【表１】
2011023933.tif 000003
【００２４】
（表１）に示すように、サービス識別コードは１６ｂｉｔで構成される。サービス識別コードは、放送対象となっている地域を識別する地域識別や放送を行っている事業者を識別する地域事業者識別などのサブフィールドに分かれている。サービス識別コードにより、日本国内すべての放送局が提供するサービスがユニークに識別される。
【００２５】
（表２）は、地域識別コードの構成を示す表である。
【００２６】
【表２】
2011023933.tif 000004
【００２７】
（表２）に示すように、地域識別コードは、地域毎に値が割り当てられている。（表２）において、地域識別コードの１〜６の値は関東／近畿／中京など複数県にまたがる広域放送に用いられる。また、（表２）において、地域識別コードの１０〜６３の値は各都道府県内で行なわれる県域放送に用いられる。
【００２８】
多重分離部１０４は、復号部１０５、放送局情報取得部１０７、地域放送局情報取得部１０９と接続する。多重分離部１０４は、復号部１０５に映像、音声等のＥＳを符号化データとして出力する。また、多重分離部１０４は、放送局情報取得部１０７と、地域放送
局情報取得部１０９とに後述のデータを出力する。
【００２９】
復号部１０５は、多重分離部１０４から取得した映像、音声等のＥＳを復号化してデジタル映像信号及びデジタル音声信号を生成する。復号部１０５は、出力部１０６と接続し、デジタル映像信号及びデジタル音声信号を出力する。
【００３０】
出力部１０６は、復号部１０５から取得したデジタル映像信号及びデジタル音声信号を用いて映像を表示し、音声を出力する。
【００３１】
放送局情報取得部１０７は、多重分離部１０４と接続し、多重分離部１０４で分離されたＰＳＩ／ＳＩからＮＩＴなどのセクションデータより放送局名やサービス識別、地域識別などを取得する。放送局情報取得部１０７は、この取得した情報を放送局リスト保持部１０８に出力する。
【００３２】
放送局リスト保持部１０８は、放送局情報取得部１０７が取得した情報を取得し、選局対象の放送局としてリスト化し保持を行う。（表３）は、放送局リスト保持部１０８が保持する放送局リストの一例を示す表である。
【００３３】
【表３】
2011023933.tif 000005
【００３４】
（表３）では、放送局リスト保持部１０８が、富山県エリアの放送局リストを保持している場合を示す。
【００３５】
地域放送局情報取得部１０９は、多重分離部１０４と接続し、多重分離部１０４で分離されたＰＳＩ／ＳＩからＮＩＴなどのセクションデータより地域ごとの放送局名やサービス識別、地域識別などを取得する。地域放送局情報取得部１０９は、この取得した情報を地域放送局リスト保持部１１０に出力する。
【００３６】
地域放送局リスト保持部１１０は、地域放送局情報取得部１０９が取得した情報を取得し、地域ごとの地域放送局をリスト化し保持を行う。
【００３７】
データ入力部１１１は、タッチパネルやリモコンで構成される。データ入力部１１１は、制御部１１２と接続され、入力された選局データ情報を制御部１１２に出力する。
【００３８】
制御部１１２は、ＣＰＵやＲＡＭで構成される。制御部１１２は、チューナ部１０２、放送局リスト保持部１０８、データ入力部１１１、受信漏れ推定部１１３と接続する。制御部１１２は、データ入力部１１０より入力された選局データ情報と放送局リスト保持部１０８から取得した放送局リストの情報を元に、選局対象の物理チャンネルをチューナ部１０２に指定することでユーザの望む放送局の選局を行う。
【００３９】
受信漏れ推定部１１３は、放送局リスト保持部１０８、地域放送局リスト保持部１１０、制御部１１２と接続する。受信漏れ推定部１１３は、放送局リスト保持部１０８から取得した放送局リストの情報と地域放送局リスト保持部１１０から取得した地域放送局リス
トの情報とから、受信漏れのチャンネルを推定し、この受信漏れのチャンネルについて制御部１１２に再選局を行わせるよう命令する。
【００４０】
次にデジタル放送受信装置による放送局選局処理について説明する。
【００４１】
図２は発明の一実施の形態におけるデジタル放送受信装置による選局処理のフローチャート図である。
【００４２】
ステップＳ２０１に示すように、制御部１１２は最小物理チャンネル（初期値）である１３ＣＨをチューナ部１０２に設定する。
【００４３】
次に、ステップＳ２０２に示すように、制御部１１２は復調部１０３から取得した同期検波情報からチューナ部１０２に設定した物理チャンネルで受信できる放送局があるかを判定する。
【００４４】
ステップＳ２０２で「ＹＥＳ」の場合、換言すると、制御部１１２が、同期検波情報が同期して、チューナ部１０２に設定した物理チャンネルで受信できる放送局があると判定した場合、ステップＳ２０３に示すように、放送局情報取得部１０７は、多重分離部１０４からＴＳ名や地域識別などの放送局情報を取得する。
【００４５】
次に、放送局情報保持部１０８は、放送局情報取得部１０７から取得した放送局情報を放送局リストとして設定して保持する。
【００４６】
次に、ステップＳ２０５に示すように、制御部１１２は、チューナ部１０２に設定した物理チャンネルがデジタル放送の運用範囲の最大物理チャンネル（最大値）である６２ＣＨに到達しているかを判定する。
【００４７】
ステップＳ２０５で「ＮＯ」の場合、換言すると、制御部１１２が、チューナ部１０２に設定した物理チャンネルが６２ＣＨに到達していないと判定した場合、ステップＳ２０６に示すように、制御部１１２は、チューナ部１０２に設定されている物理チャンネルをひとつ繰り上げてチューナ部１０２に設定し、ステップＳ２０２へと戻る。
【００４８】
ステップＳ２０５で「ＹＥＳ」の場合、換言すると、制御部１１２が、チューナ部１０２に設定した物理チャンネルが６２ＣＨに到達していると判定した場合、ステップＳ２０６に示すように、受信漏れ推定部１１３は、チューナ部１０２によって１３ＣＨから６２ＣＨを選局して得た情報に基づいて、一時的な受信感度の低下などによる放送局の選局漏れの確認を行う。
【００４９】
また、ステップＳ２０２で「ＮＯ」の場合、換言すると、制御部１１２が、同期検波情報が同期でなく、チューナ部１０２に設定した物理チャンネルで受信できる放送局がないと判定した場合、ステップＳ２０５の処理を行う。
【００５０】
次に、ステップＳ２０７の受信漏れ確認処理について説明する。
【００５１】
図３は、ステップＳ２０７の受信漏れ確認処理のフローチャート図である。
【００５２】
ステップＳ４０１に示すように、受信漏れ推定部１１３は、放送局リスト保持部１０８で保持されている放送局リストにおける地域識別コードの検出回数をカウントし、一番多くカウントされた地域を現在の受信地域と特定する。なお、受信漏れ推定部１１３は、異なる地域識別が同じカウント数の場合は、その両方を受信地域と特定する。
【００５３】
（表４）は、放送局リスト保持部１０８で保持されている放送局リストを説明する表である。
【００５４】
【表４】
2011023933.tif 000006
【００５５】
（表４）に示すように、受信漏れ推定部１１３は、地域識別コード３７の「富山」の検出回数が「４」、地域識別コード３４の「石川」の検出回数が「１」と判定し、「富山」を受信地域と特定する。なお、（表４）は、チューナ部１０２が本来なら２２ＣＨにて「チューリップテレビ」を受信可能であったが、一時的な受信感度の低下により選局漏れを起し、代わりに４２ＣＨの「北陸朝日放送」を受信したリストを示す。
【００５６】
ステップＳ４０１の後、ステップＳ４０２に示すように、受信漏れ推定部１１３は、ステップＳ４０１で特定した受信地域に対応する一の放送局（以下、「対象放送局」と記す）が、放送局リスト保持部１０８が保持する放送局リストに含まれているか判定する。この際、受信漏れ推定部１１３は、ステップＳ４０１で特定した地域の地域放送局リストを地域放送局リスト保持部１１０から取得する。
【００５７】
ステップＳ４０２で「ＮＯ」の場合、換言すると、受信漏れ推定部１１３が、対象放送局が放送局リスト保持部１０８が保持する放送局リストに含まれていないと判定した場合、ステップＳ４０３に示すように、対象放送局の物理チャンネルをリスト情報として保持する。
【００５８】
ステップＳ４０３の処理後、またはステップＳ４０２で「ＹＥＳ」の場合、ステップＳ４０４に示すように、制御部１１２は、対象放送局を全て確認したかを判定する。
【００５９】
ステップＳ４０４で「ＮＯ」の場合、換言すると、受信漏れ推定部１１３は、対象放送局で確認していない放送局があると判定した場合、ステップＳ４０５に示すように対象放送局を次の放送局にして、再度ステップＳ４０２の処理を行う。
【００６０】
ステップＳ４０４で「ＹＥＳ」の場合、換言すると、受信漏れ推定部１１３は、全ての対象放送局を確認したと判定した場合、ステップＳ４０６に示すように、既に放送局リスト保持部１０８が保持した放送局リストに設定済みの物理チャンネルをステップＳ４０３で保持した対象放送局の物理チャンネルから削除する。これは既知である放送局リスト保持部１０８が保持する放送局リストの物理チャンネルをチューナ部１０２が再度選局することを防ぐためである。
【００６１】
ここで（表４）及び（表５）を例にステップＳ４０２からＳ４０４までの処理の具体例を説明する。（表５）は、地域放送局リストの構成を説明する表である。
【００６２】
【表５】
2011023933.tif 000007
【００６３】
受信漏れ推定部１１３は、（表５）の地域放送局リストの中で、ステップＳ４０１で特定した受信地域である「富山」を対象に「ＮＨＫ総合・富山」から順番に、（表４）の放送局リストと比較して受信不能な放送局を確認する。受信漏れ推定部１１３は、「チューリップテレビ」が存在しないと判定し、（表５）の「チューリップテレビ」に該当する物理チャンネルリスト「２１」、「２２」、「４２」、「４７」、「５１」の保持を行う。
【００６４】
（表４）及び（表５）を例にステップＳ４０６の処理の具体例を説明する。放送局リスト保持部１０８は、（表４）に示すように、既に「４２ＣＨ」に対して「北陸朝日放送」を保持している。このため、受信漏れ推定部１１３は、（表５）に示す「チューリップテレビ」に該当する物理チャンネルリストのうち「４２ＣＨ」をリストから削除する（以下、この削除した後のリストを「削除済み物理チャンネルリスト」と記す）。（表６）は、削除済み物理チャンネルリストを示す。
【００６５】
【表６】
2011023933.tif 000008
【００６６】
ステップＳ４０６の後、ステップＳ４０７に示すように、受信漏れ推定部１１３は、制御部１１２に削除済み物理チャンネルリストの先頭チャンネルをチューナ部１０２に設定させる。
【００６７】
次に、ステップＳ４０８に示すように、受信漏れ推定部１１３は、制御部１１２に復調部１０３から取得した同期検波情報で放送局を判定させる。
【００６８】
ステップＳ４０８で「ＹＥＳ」の場合、換言すると、同期検波情報が同期して、制御部１１２が、現在のチャンネルでチューナ部１０２がデジタル放送を受信できると判定した場合、ステップＳ４０９に示すように、放送局情報保持部１０８は、放送局情報取得部１０７からＴＳ名や地域識別などの放送局情報を取得する。
【００６９】
次に、ステップＳ４１０に示すように、放送局情報保持部１０８は、放送局情報取得部１０７から取得した放送局情報を追加保持する。
【００７０】
ステップＳ４０８で「ＮＯ」の場合、換言すると、同期検波情報が同期しておらず、制御部１１２が、現在のチャンネルでチューナ部１０２がデジタル放送を受信できないと判定した場合、または、ステップＳ４１０の後、ステップＳ４１１で示すように、受信漏れ推定部１１３は、制御部１１２に、放送局情報保持部１０８が保持した物理チャンネルを全て受信可能か確認したかを判定させる。
【００７１】
ステップＳ４１１で「ＮＯ」の場合、換言すると、制御部１１２が未確認の物理チャンネルが存在すると判定した場合、ステップＳ４１２に示すように、受信漏れ推定処理部１１３は、制御部１１２に削除済み物理チャンネルリストについて現状設定されている物理チャンネルをひとつ繰り上げてチューナ部１０２に設定させ、再度ステップＳ４０８の処理を行わせる。
【００７２】
ステップＳ４１１で「ＹＥＳ」の場合、換言すると、制御部１１２が未確認の物理チャンネルが存在しないと判定した場合、受信漏れ推定部１１３は、受信漏れ確認処理を終了する。
【００７３】
（表４）及び（表６）を例にステップＳ４０７からステップＳ４１１までの処理の流れを説明する。まず受信漏れ推定部１１３は、制御部１１２に、（表７）に示す削除済み物理チャンネルリストの先頭チャンネルである「２１ＣＨ」をチューナ部１０２に設定させる。
【００７４】
制御部１１２は、同期検波情報が同期できないため放送局なしと判定する。
【００７５】
制御部１１２は、（表７）の削除済み物理チャンネルに未確認物理チャンネルが存在すると判定する。そして、受信漏れ推定部１１３は、制御部１１２に、（表７）の削除済み物理チャンネルリストの次の物理チャンネルである「２２ＣＨ」をチューナ部１０２に設定させて同様の処理を行う。
【００７６】
制御部１１２は、同期検波情報が同期できるため放送局ありと判断する。
【００７７】
放送局情報保持部１０８は、放送局情報取得部１０７が取得したＴＳ名「チューリップテレビ」や地域識別「富山」などの放送局情報を構築保持する。そして、放送局情報保持部１０８は、この放送局情報を放送局リストに設定する。このような処理を削除済み物理チャンネルリスト全てに対し実施した結果の放送局リストを（表７）に示す。
【００７８】
【表７】
2011023933.tif 000009
【００７９】
（表７）は、削除済み物理チャンネルリストに対して再選局した放送局リストを説明する表である。（表７）に示す放送局リストは、（表４）の放送局リストに対し、新たに「チューリップテレビ」の項目が補完される。
【００８０】
このように、本実施の形態のデジタル放送受信装置の受信漏れ推定部１１３では、地域識別コードを利用して受信地域を特定し、選局により放送局リスト保持部１０８が保持した放送局リストと地域放送局リスト保持部１１０が保持した地域放送局リストを比較することで受信漏れの可能性の高い放送局を推定し、その対象放送局の物理チャンネルのみを再選局することで、一時的に受信感度が弱まったことによりスキャン漏れが発生した放送局を効率的に補完することを可能とする。
【００８１】
また、本実施の形態のデジタル放送受信装置の受信漏れ推定部１１３によれば、特定した受信地域における受信不可の放送局を精度よく把握可能であるため、選局動作時に受信不可の放送局を選局処理してしまうという無駄を防ぎ、選局動作の効率を大きく向上することができる。
【００８２】
なお、本実施形態の制御部１１２と受信漏れ推定部１１３とを１つの装置やブロックで構成してもよい。
【産業上の利用可能性】
【００８３】
以上のように、本発明にかかるデジタル放送受信装置は、受信状態が安定しない携帯端末や車載器向けのデジタル放送受信装置として有用である。
【符号の説明】
【００８４】
１０２  チューナ部
１０３  復調部
１０４  多重分離部
１０５  復号部
１０７  放送局情報取得部
１０８  放送局リスト保持部
１１０  地域放送局リスト保持部
１１２  制御部
１１３  受信漏れ推定部
【図１】
2011023933.tif 000010
【図２】
2011023933.tif 000011
【図３】
2011023933.tif 000012